(57)【要約】【課題】集まった人々に複数の情報を取得させることのできる情報提供システムを提供する。【解決手段】複数の登録情報Ｉｒに個別に対応して複数の識別情報Ｄｉを設定する制御装置１２と、識別情報Ｄｉを符号化した発信信号Ｓｄを発信する発信機１１と、を備える情報提供システム１０である。制御装置１２は、いずれか１つの識別情報Ｄｉを発信させる発信指令Ｃｄを発信機１１へ向けて出力し、発信機１１は、入力された発信指令Ｃｄが示す識別情報Ｄｉを発信信号Ｓｄに符号化し、先に符号化した発信信号Ｓｄに替えて新たに符号化した発信信号Ｓｄを発信する。【選択図】図２
2017121003.tif 000002
【特許請求の範囲】
【請求項１】
複数の登録情報に個別に対応して複数の識別情報を設定する制御装置と、
前記識別情報を符号化した発信信号を発信する発信機と、を備え、
前記制御装置は、いずれか１つの前記識別情報を発信させる発信指令を前記発信機へ向けて出力し、
前記発信機は、入力された前記発信指令が示す前記識別情報を前記発信信号に符号化し、先に符号化した前記発信信号に替えて新たに符号化した前記発信信号を発信することを特徴とする情報提供システム。
【請求項２】
請求項１の情報提供システムであって、
さらに、前記発信機から発信された前記発信信号を受信して前記識別情報に復号する受信端末機を備えることを特徴とする情報提供システム。
【請求項３】
前記制御装置は、予め設定された時機となると、その時機に設定された前記識別情報を示す前記発信指令を前記発信機へ向けて出力することを特徴とする請求項２に記載の情報提供システム。
【請求項４】
前記発信機は、人が集まる場所に設置され、
前記各登録情報は、前記発信機が設置された場所に応じて設定可能であることを特徴とする請求項２または請求項３に記載の情報提供システム。
【請求項５】
前記制御装置は、発信操作が為されると、前記発信操作が対応する前記識別情報を示す前記発信指令を前記発信機へ向けて出力することを特徴とする請求項２から請求項４のいずれか１項に記載の情報提供システム。
【請求項６】
前記制御装置は、前記各識別情報を設定し前記各登録情報に対応付けて記憶する中央制御機と、前記発信指令を前記発信機へ向けて出力する制御操作機と、を有し、
前記制御操作機は、前記発信操作のための発信操作部を有することを特徴とする請求項５に記載の情報提供システム。
【請求項７】
前記中央制御機は、設定した前記各識別情報に対応する前記登録情報の所在を示すアドレス情報を記憶することを特徴とする請求項６に記載の情報提供システム。
【請求項８】
前記受信端末機は、復号した前記識別情報に対応する前記登録情報の所在を示すアドレス情報を前記中央制御機から取得することを特徴とする請求項７に記載の情報提供システム。
【請求項９】
複数の登録情報に個別に対応して複数の識別情報を設定する制御装置と、前記識別情報を符号化した発信信号を発信する発信機とを備え、前記制御装置がいずれか１つの前記識別情報を発信させる発信指令を前記発信機へ向けて出力する情報提供システムの前記発信機に、
入力された前記発信指令が示す前記識別情報を前記発信信号に符号化する機能と、
先に符号化した前記発信信号に替えて新たに符号化した前記発信信号を発信する機能と、
を実現させることを特徴とするプログラム。
【請求項１０】
前記制御装置は、予め設定された時機となると、その時機に設定された前記識別情報を示す前記発信指令を前記発信機へ向けて出力し、
前記発信機は、人が集まる場所に設置され、
前記各登録情報は、前記発信機が設置された場所に応じて設定可能であることを特徴とする請求項９に記載のプログラム。
【発明の詳細な説明】
【技術分野】
【０００１】
本発明は、複数の情報を提供する情報提供システムおよびプログラムに関する。
【背景技術】
【０００２】
例えば、演劇では、様々な趣向を凝らして観客を楽しませることが考えられている（例えば、特許文献１参照）。このような演劇を楽しむ観客には、楽しみの一環として登場する演者が装着している装飾品等を入手したいと考えるものが少なからず存在する。他方、演劇を提供する側としては、上記した装飾品等の購入を観客に促したいと考えている。
【先行技術文献】
【特許文献】
【０００３】
【特許文献１】特開２００８−１６１２９０号公報
【発明の概要】
【発明が解決しようとする課題】
【０００４】
ここで、演劇を提供する側は、近年のインターネットの普及により、ウェブサイト等に上記した装飾品等の演者等に関連する情報を載せることで、装飾品等の購入を容易なものにできる。しかしながら、ウェブサイト等に情報を載せるだけでは、観客が演劇を楽しんだ後に自ら当該ウェブサイト等を検索する必要があるので、鑑賞した観客の中の一部のみが実行するに留まる。また、提供する側としては、観客が印象に残った物のみを検索することから、演劇中の他の様々な装飾品等の情報の提供の機会を逃すこととなる。このため、演劇のように多くの人が集まる場所において、集まった人々の好みに応じた複数の情報を各人に取得させることが求められる。
【０００５】
本発明は、上記の事情に鑑みて為されたもので、集まった人々に複数の情報を取得させることのできる情報提供システムを提供することにある。
【課題を解決するための手段】
【０００６】
請求項１に記載の情報提供システムは、複数の登録情報に個別に対応して複数の識別情報を設定する制御装置と、前記識別情報を符号化した発信信号を発信する発信機と、を備え、前記制御装置は、いずれか１つの前記識別情報を発信させる発信指令を前記発信機へ向けて出力し、前記発信機は、入力された前記発信指令が示す前記識別情報を前記発信信号に符号化し、先に符号化した前記発信信号に替えて新たに符号化した前記発信信号を発信する。
【発明の効果】
【０００７】
本発明の情報提供システムでは、集まった人々に複数の情報を取得させることができる。
【図面の簡単な説明】
【０００８】
【図１】本発明の情報提供システムの一実施形態に係る実施例の情報提供システム１０の概要を示す説明図である。
【図２】情報提供システム１０の構成をブロック図で示す説明図である。
【図３】一例としての構成データＤｃを示す説明図である。
【図４】演算制御部３１で実行される一例としての生成処理を示すフローチャートである。
【図５】操作機表示部４４に表示される操作画面Ｐｏ１を示す説明図である。
【図６】操作機表示部４４に表示される操作画面Ｐｏ２を示す説明図である。
【図７】操作機表示部４４に表示される操作画面Ｐｏ３を示す説明図である。
【図８】操作機制御部４１で実行される一例としての実行処理を示すフローチャートである。
【図９】発信制御部２１で実行される一例としての切替発信処理を示すフローチャートである。
【図１０】端末制御部５１で実行される一例としての識別情報取得処理を示すフローチャートである。
【図１１】端末制御部５１で実行される一例としての登録情報取得処理を示すフローチャートである。
【図１２】端末表示部５４に表示される情報選択画面Ｐｉ１を示す説明図である。
【図１３】端末表示部５４に表示される情報選択画面Ｐｉ２を示す説明図である。
【図１４】端末表示部５４に表示される登録情報Ｉｒ（アドレス情報Ａ）のウェブサイトＷｓの一例を示す説明図である。
【図１５】端末表示部５４に表示される登録情報Ｉｒ（アドレス情報Ａ）のウェブサイトＷｓの他の一例を示す説明図である。
【発明を実施するための形態】
【０００９】
以下に、本願発明に係る情報提供システムおよびプログラムの実施例について図面を参照しつつ説明する。
【実施例】
【００１０】
本発明に係る情報提供システムおよびプログラムの一実施例としての情報提供システム１０（そこで用いるプログラム（アプリケーション））の概略的な構成を、図１から図１５を用いて説明する。なお、図１では、情報提供システム１０の構成の理解を容易とすべく劇場Ｔｈを簡略化して示す。また、図３では、構成データＤｃの理解を容易とすべく、演劇Ｄｒに出演する演者Ｐ、用いる装飾品Ｔや物品Ｇ、演劇Ｄｒにおける幕Ａｃの数を簡略化して示す。
【００１１】
まず、情報提供システム１０の概要を、図１および図２を用いて説明する。情報提供システム１０は、多くの人が集まる場所において、集まった人々の好みに応じた複数の情報を各人に取得させることを可能とする。その多くの人が集まる場所としては、例えば、劇場や文化的複合施設や商業施設等の建物（その敷地等を含めてもよい）があり、図１では劇場Ｔｈに用いた一例を示す。この情報提供システム１０では、発信機１１から発信信号Ｓｄ（図２参照）を発信し、その発信信号Ｓｄを各観客Ａｕが持つ各受信端末機１３に受信させる。情報提供システム１０では、単一の発信機１１からは一度（同時刻）に１種類の発信信号Ｓｄのみの発信が可能であり、制御装置１２（図２参照）が発信機１１から発信させる発信信号Ｓｄを切り替えることで、各受信端末機１３に複数の情報を受信させる。
【００１２】
情報提供システム１０は、発信機１１と制御装置１２（図２参照）と受信端末機１３とを備える。その発信機１１は、多くの人が集まる場所（この例では演劇Ｄｒを行う劇場Ｔｈ）に設けられ、後述する識別情報Ｄｉを発信信号Ｓｄに符号化し、その発信信号Ｓｄを発信（出力）する（図２参照）。発信機１１は、Ｗｉ−Ｆｉ（ワイファイ（登録商標））やＮＦＣ(ＮＥＡＲ  Ｆｉｅｌｄ  Ｃｏｍｍｕｎｉｃａｔｉｏｎ（登録商標）)やブルートゥース（登録商標））や音響（そこに信号を重畳させたもの）等の近距離無線通信を利用して発信信号Ｓｄを発信するものであり、その発信信号Ｓｄを各受信端末機１３に取得させる。この発信信号Ｓｄは、受信端末機１３との間で予め設定した通信方式に従い識別情報Ｄｉを符号化したものであり、本実施例ではブルートゥースロウエナジー（Ｂｌｕｅｔｏｏｔｈ  Ｌｏｗ  Ｅｎｅｒｇｙ（登録商標））の無線通信方式でビーコン（Ｂｅａｃｏｎ）の管理フレームを用いるものとする。発信機１１は、制御装置１２（その後述する制御操作機４０）から出力された識別情報Ｄｉを発信信号Ｓｄに符号化し、その発信信号Ｓｄを発信することが可能な任意の情報処理装置である。発信機１１は、連続的か間欠的かを問わず電波を発信するものであり、本実施例では、間欠的に電波を発信するすなわち所定のタイミングで定期的にかつ繰り返して電波を発信するもの（所謂ビーコン端末）とし、当該電波として発信信号Ｓｄを発信する。このような発信機１１は、例えば、専用の端末機、スマートフォン、パーソナルコンピュータ、およびタッチパッド等で形成でき、本実施例では、小型のパーソナルコンピュータで形成する。
【００１３】
この発信機１１は、図２に示すように、発信制御部２１と発信通信部２２と発信出力部２３と発信記憶部２４とを有する。その発信制御部２１は、次の各処理を、発信記憶部２４もしくは内蔵する内部メモリ２１ａに記憶されたプログラムにより統括的に行う。その各処理としては、発信通信部２２による後述する発信指令Ｃｄの取得処理や、その発信指令Ｃｄが示す識別情報Ｄｉを発信信号Ｓｄに符号化する符号化処理や、発信出力部２３から発信信号Ｓｄを発信（出力）させる発信処理等がある。
【００１４】
発信通信部２２は、制御装置１２（その後述する制御操作機４０（操作機通信部４３））からの後述する発信指令Ｃｄを取得するものであり、本実施例ではワイファイ（Ｗｉ−Ｆｉ（登録商標））の無線通信方式を用いる。発信出力部２３は、発信制御部２１によりブルートゥースロウエナジーの無線通信方式でビーコンの管理フレームを用いて生成された発信信号Ｓｄを出力する。この発信通信部２２と発信出力部２３とは、本実施例では、ＵＳＢ（Ｕｎｉｖｅｒｓａｌ  Ｓｅｒｉａｌ  Ｂｕｓ（登録商標））タイプの通信端末で一体的に形成され、発信機１１を構成する小型のパーソナルコンピュータの本体に接続されて設けられる。
【００１５】
発信記憶部２４は、発信制御部２１の制御下で、その各処理のためのプログラムを記憶するとともに、発信通信部２２で取得した発信指令Ｃｄや、発信制御部２１で生成した発信信号Ｓｄを適宜記憶しそれらの読み出しを可能とする。また、発信記憶部２４は、本実施例では、発信機１１を制御装置１２および各受信端末機１３と協働して情報提供システム１０を構成させるプログラムを記憶（保存）する。そして、発信記憶部２４は、本実施例では、上述した発信指令Ｃｄの取得（取得処理）、発信信号Ｓｄの生成（生成処理）、発信信号Ｓｄの発信（発信処理）を行う切替発信処理のためのアプリケーションを記憶（保存）する。
【００１６】
制御装置１２は、発信機１１が発信（出力）する発信信号Ｓｄ（それが示す識別情報Ｄｉ）を切り替えさせる。この制御装置１２は、複数の登録情報Ｉｒに対応して複数の識別情報Ｄｉを設定し、その設定した中のいずれか１つの識別情報Ｄｉを発信させるための発信指令Ｃｄを発信機１１へ向けて出力する。その登録情報Ｉｒは、図３に示すように、各シナリオＳｒにおいて各シーンＳｎで提供する任意の情報であり、本実施例ではウェブサイトＷｓ（図１４、図１５参照）の所在を示すアドレス情報Ａとする。そのシナリオＳｒとは、各登録情報Ｉｒの提供先とする対象者が来場する目的の種別を示し、例えば、劇場Ｔｈで行われる演劇Ｄｒ（その演目名）や、会場で行われるコンサートおよびイベント（そのコンサート名およびイベント名）や、買い物等で訪れる商業施設（その施設名）をいう。また、シーンＳｎとは、対象者に提供する情報の種類を切り替えるための区分であり、１つのシーンＳｎに対して１つの登録情報Ｉｒ（アドレス情報Ａ）を対応付ける。このため、各シナリオＳｒでは、複数のシーンＳｎが設定され、その各シーンＳｎに１つの登録情報Ｉｒ（アドレス情報Ａ）が対応付けられることで、複数の情報の提供を可能とする。この各シーンＳｎでは、時系列で見た順番と継続時間ｔｃとが設定され、対応付けられた登録情報Ｉｒ（アドレス情報Ａ）すなわちそれを示す識別情報Ｄｉを提供する時機の判別が可能とされる。なお、順番および継続時間ｔｃに替えて開始時刻および終了時刻を設定して、時機の判別を可能としてもよい。この各シナリオＳｒ、各シーンＳｎおよび各登録情報Ｉｒ（アドレス情報Ａ）の設定については後述する。
【００１７】
制御装置１２は、図２に示すように、識別情報Ｄｉを設定し登録情報Ｉｒ（アドレス情報Ａ）を対応付けて記憶する中央制御機３０と、発信指令Ｃｄを発信機１１へ向けて出力する制御操作機４０と、を有する。その中央制御機３０は、複数の登録情報Ｉｒ（アドレス情報Ａ）を各シーンＳｎに対応付けて記憶し、その各登録情報Ｉｒに個別に対応して複数の識別情報Ｄｉを設定しかつそれらを対応付けて記憶し、その各識別情報Ｄｉを順に発信させる発信プログラムＰｄを生成する。その発信プログラムＰｄは、登録情報Ｉｒ（アドレス情報Ａ）を提供する順番に並べられた各シーンＳｎが示す時機となると、当該シーンＳｎの登録情報Ｉｒ（アドレス情報Ａ）に対応付けられた識別情報Ｄｉを発信させる発信指令Ｃｄを出力させるべく生成される。中央制御機３０は、生成した発信プログラムＰｄを制御操作機４０へと出力する。
【００１８】
その制御操作機４０は、中央制御機３０からの発信プログラムＰｄを取得する。制御操作機４０は、その発信プログラムＰｄに従い、設定された時機（シーンＳｎ）となると対応付けされた識別情報Ｄｉを発信させる発信指令Ｃｄを生成し、その発信指令Ｃｄを発信機１１へと出力する。その発信プログラムＰｄ（制御操作機４０）では、設定された時機（シーンＳｎ）ではなくても、後述する発信操作Ｏｄが為されると、その発信操作Ｏｄが対応する識別情報Ｄｉを発信させる発信指令Ｃｄを生成して発信機１１へと出力する（図８参照）。
【００１９】
その中央制御機３０は、演算制御部３１と中央操作部３２と中央通信部３３と中央表示部３４と中央記憶部３５とを有する。この中央制御機３０は、本実施例では、中央記憶部３５にプログラムを記憶させたコンピュータで形成する。なお、そのプログラムは、演算制御部３１の内部メモリ３１ａに記憶してもよい。
【００２０】
その演算制御部３１は、次の各処理を、中央記憶部３５もしくは内蔵する内部メモリ３１ａに記憶されたプログラムにより統括的に行う。その各処理としては、中央操作部３２に為された操作に基づく設定処理および実行処理や、中央通信部３３を介するデータの取得処理および出力処理や、中央表示部３４の駆動制御処理や、各識別情報Ｄｉの設定処理や、生成した各識別情報Ｄｉを用いた発信プログラムＰｄの生成処理等がある。また、演算制御部３１は、中央操作部３２による各種設定や実行のための画面を中央表示部３４に表示させる機能を有する。演算制御部３１は、中央操作部３２への操作に基づき、あるいは中央記憶部３５（内部メモリ３１ａ）に記憶されたプログラムに従い、上述した各動作（制御）を適宜実行する。
【００２１】
中央操作部３２は、各登録情報Ｉｒ（アドレス情報Ａ）の入力や、その各登録情報Ｉｒ（アドレス情報Ａ）の発信の時機（各シーンＳｎ）の入力や、生成した発信プログラムＰｄの制御操作機４０への出力のための操作を行う箇所である。この中央操作部３２は、本実施例では、コンピュータに接続されたキーボードや、マウス等のポインティングデバイスで構成する。なお、中央操作部３２は、中央表示部３４をタッチパネルの機能を搭載するものとして、その中央表示部３４により構成してもよい。
【００２２】
中央通信部３３は、中央制御機３０に接続された外部機器や、中央制御機３０が内蔵する内部機器や、ネットワーク接続されたサーバ等から適宜データの取得を可能とする。その取得するデータとしては、発信プログラムＰｄの生成の為のデータ（後述する構成データＤｃ（図３参照））があり、外部機器や内部機器としては、ＣＤ等の記録媒体に記録されたデータを読み取るデータ取得機構がある。また、中央通信部３３は、後述する操作機通信部４３を介して制御操作機４０（その後述する操作機制御部４１）とのデータの遣り取りを可能とする。その遣り取りするデータとしては、生成した発信プログラムＰｄがある。さらに、中央通信部３３は、後述する端末通信部５５を介して受信端末機１３（その後述する端末制御部５１）のデータの遣り取りを可能とする。その遣り取りするデータとしては、識別情報Ｄｉや登録情報Ｉｒ（アドレス情報Ａ）がある。
【００２３】
中央表示部３４は、液晶ディスプレイで形成され、演算制御部３１の制御下で、後述する発信プログラムＰｄを示す画面（生成のための画面も含む）等を表示する。中央記憶部３５は、演算制御部３１の制御下で、各種データやプログラムを記憶するとともに、それらの読み出しを可能とする。この中央記憶部３５は、本実施例では、制御装置１２を発信機１１および各受信端末機１３と協働して情報提供システム１０を構成させるプログラムを記憶（保存）する。また、中央記憶部３５は、各識別情報Ｄｉの設定処理や、発信プログラムＰｄの生成処理のためのアプリケーションを記憶（保存）する。そして、中央記憶部３５は、各識別情報Ｄｉを各登録情報Ｉｒに対応付けて適宜記憶（保存）するとともに、生成した発信プログラムＰｄを適宜記憶（保存）する。
【００２４】
制御操作機４０は、操作機制御部４１と操作機操作部４２と操作機通信部４３と操作機表示部４４と操作機記憶部４５とを有する。この制御操作機４０は、操作機記憶部４５にプログラムを記憶させたコンピュータで形成し、本実施例では、スマートフォンで形成する。なお、そのプログラムは、操作機制御部４１の内部メモリ４１ａに記憶してもよい。
【００２５】
その操作機制御部４１は、次の各処理を、操作機記憶部４５もしくは内蔵する内部メモリ４１ａに記憶されたプログラムにより統括的に行う。その各処理としては、操作機操作部４２に為された操作に基づく設定処理および実行処理や、操作機通信部４３を介するデータの取得処理や、操作機通信部４３を介するデータの出力処理や、操作機表示部４４の駆動制御処理や、取得した発信プログラムＰｄの実行処理（その際の発信指令Ｃｄの生成および出力処理）等がある。また、操作機制御部４１は、操作機操作部４２による各種設定や発信プログラムＰｄの実行のための画面を操作機表示部４４に表示させる機能を有する。そして、操作機制御部４１は、後述する送信ボタンＢ３に発信操作Ｏｄが為されると、その発信操作Ｏｄが対応する識別情報Ｄｉを示す発信指令Ｃｄを発信機１１へ向けて出力する機能を有する（図８参照）。操作機制御部４１は、操作機操作部４２への操作に基づき、あるいは操作機記憶部４５（内部メモリ４１ａ）に記憶されたプログラムに従い、上述した各動作（制御）を適宜実行する。
【００２６】
操作機操作部４２は、中央制御機３０で生成された発信プログラムＰｄの実行のための操作を行う箇所である。この操作機操作部４２は、本実施例では、操作機表示部４４をタッチパネルの機能を搭載するものとして、その操作機表示部４４により構成する。なお、操作機操作部４２は、接続されたキーボードや、マウス等のポインティングデバイスで構成してもよい。
【００２７】
操作機通信部４３は、中央通信部３３を介して中央制御機３０（その演算制御部３１）とのデータの遣り取りを可能とする。その遣り取りするデータとしては、生成された発信プログラムＰｄがある。また、操作機通信部４３は、発信通信部２２を介して発信機１１（その発信制御部２１）へのデータの出力を可能とし、本実施例ではワイファイの無線通信方式を用いてデータを出力する。その出力するデータとしては、操作機制御部４１が発信プログラムＰｄに基づいて生成した発信指令Ｃｄがある。
【００２８】
操作機表示部４４は、液晶ディスプレイで形成され、任意の画面や中央制御機３０で生成された発信プログラムＰｄを実行するための後述する各操作画面Ｐｏ（図５から図７参照）を表示する。操作機記憶部４５は、操作機制御部４１の制御下で、各種データやプログラムを記憶するとともに、それらの読み出しを可能とする。この操作機記憶部４５は、本実施例では、制御装置１２を発信機１１および各受信端末機１３と協働して情報提供システム１０を構成させるプログラムや、発信プログラムＰｄの実行処理のためのアプリケーションを記憶（保存）する。また、操作機記憶部４５は、取得した発信プログラムＰｄを適宜記憶（保存）する。
【００２９】
この制御操作機４０（操作機制御部４１）は、発信プログラムＰｄに従い、操作機通信部４３を介して、発信機１１（発信制御部２１）へと発信指令Ｃｄを出力する。その発信機１１（発信制御部２１）は、発信通信部２２を介して発信指令Ｃｄを取得すると、その発信指令Ｃｄに基づく識別情報Ｄｉを発信信号Ｓｄに符号化し、その発信信号Ｓｄを発信出力部２３から発信（出力）させる。そして、情報提供システム１０では、発信機１１から発信された発信信号Ｓｄを、集まった人々（図１の例では各観客Ａｕ）が持つ各受信端末機１３で受信可能とする。
【００３０】
その受信端末機１３は、発信信号Ｓｄを取得可能であり、その発信信号Ｓｄを識別情報Ｄｉに復号することができ、その識別情報Ｄｉに対応付けられた登録情報Ｉｒとしてのアドレス情報Ａが所在を示すウェブサイトＷｓ（図１４、図１５参照）や中央制御機３０（その演算制御部３１）へのアクセスが可能な任意の情報処理装置である。受信端末機１３は、例えば、スマートフォン、携帯電話機、パーソナルコンピュータ、タッチパッド、ゲーム用コンソールおよび電子書籍リーダー等で形成され、本実施例では、スマートフォンとする。
【００３１】
この受信端末機１３は、端末制御部５１と受信部５２と端末入力部５３と端末表示部５４と端末通信部５５と端末記憶部５６とを有する。この端末制御部５１は、その端末記憶部５６もしくは内蔵する内部メモリ５１ａに記憶されたプログラムにより受信端末機１３を統括的に制御する。端末制御部５１は、後述するように受信部５２から発信信号Ｓｄを取得すると、その発信信号Ｓｄを識別情報Ｄｉに復号する機能や、端末表示部５４に為された操作に応じて中央制御機３０（その演算制御部３１）から識別情報Ｄｉに対応付けられた登録情報Ｉｒ（アドレス情報Ａ）を取得する機能を有する。
【００３２】
受信部５２は、発信機１１の発信出力部２３から発信された発信信号Ｓｄを受信するものであり、本実施例ではブルートゥースロウエナジーの無線通信方式でビーコンの管理フレームを用いて生成された発信信号Ｓｄの受信を可能とする。この受信部５２は、取得した発信信号Ｓｄを端末制御部５１に出力する。
【００３３】
端末入力部５３は、種々の操作が可能とされ、各識別情報Ｄｉに対応付けされた各登録情報Ｉｒを取得する操作や、その各登録情報Ｉｒとしての各アドレス情報Ａが示すウェブサイトＷｓ（図１４、図１５参照）へのアクセスの操作が行われる。その端末入力部５３は、本実施例では、端末表示部５４をタッチパネルの機能を搭載するものとして、その端末表示部５４により構成する。なお、端末入力部５３は、接続されたキーボードや、マウス等のポインティングデバイスで構成してもよい。
【００３４】
端末表示部５４は、端末制御部５１の制御下で、各識別情報Ｄｉおよび各登録情報Ｉｒ（アドレス情報Ａ）の選択のための後述する各情報選択画面Ｐｉ（図１２、図１３参照）や、アクセスしたウェブサイトＷｓで設定された各種の画像（図１４、図１５参照）を表示する。端末通信部５５は、外部ネットワークとの通信を可能とし、端末制御部５１の制御下において、各情報を適宜受信して端末記憶部５６に記憶し、かつ端末記憶部５６に記憶された各情報を適宜送信する。本実施例では、受信端末機１３がスマートフォンであるので、端末通信部５５は無線通信が可能であり、中央通信部３３を介して中央制御機３０（その演算制御部３１）とデータの遣り取りを可能とする。
【００３５】
端末記憶部５６は、端末制御部５１の制御下で、各種データやプログラムを記憶し、かつそれらの読み出しを可能とする。この端末記憶部５６は、本実施例では、この受信端末機１３を発信機１１および制御装置１２と協働して情報提供システム１０を構成させるプログラムを記憶（保存）する。また、端末記憶部５６は、発信信号Ｓｄを受信し、その受信した発信信号Ｓｄを識別情報Ｄｉに復号し、その識別情報Ｄｉを端末記憶部５６に記憶（保存）する識別情報取得処理や、その識別情報Ｄｉに対応付けられた登録情報Ｉｒ（アドレス情報Ａ）を中央制御機３０（その演算制御部３１）から取得し、その操作のための画面を端末表示部５４に表示させる登録情報取得処理のためのアプリケーションを記憶（保存）する。
【００３６】
このため、受信端末機１３では、当該アプリケーションを起動することで、発信機１１から発信された発信信号Ｓｄの受信や、その発信信号Ｓｄを復号した識別情報Ｄｉの取得や、その識別情報Ｄｉに対応付けられた登録情報Ｉｒ（アドレス情報Ａ）の取得およびその表示が可能である。そして、端末記憶部５６は、当該アプリケーションにより取得した識別情報Ｄｉや登録情報Ｉｒ（アドレス情報Ａ）を適宜記憶（保存）する。
【００３７】
次に、取得させる複数の情報を任意に設定する様子の一例を、図３の構成データＤｃを用いて説明する。その構成データＤｃでは、対象とするシナリオＳｒを図１に示す演劇Ｄｒとし、その演劇Ｄｒの構成として、幕Ａｃ毎に、登場する各演者Ｐと、その各演者Ｐが装着する装飾品Ｔおよび用いた物品Ｇと、舞台のセットとして用いた物品Ｇと、を示す。また、構成データＤｃでは、演劇Ｄｒの構成に基づいて設定した一例としての各シーンＳｎや登録情報Ｉｒ（アドレス情報Ａ）や識別情報ＤｉやタイトルＴｉを示す。さらに、構成データＤｃでは、各シーンＳｎを演劇Ｄｒの構成に合わせて上から順に時系列で並べて記載しており、表の中ではその継続時間ｔｃも併せて示す。なお、幕Ａｃ、演者Ｐ、装飾品Ｔ、物品Ｇ、シーンＳｎ、継続時間ｔｃ、登録情報Ｉｒ（アドレス情報Ａ）、識別情報ＤｉおよびタイトルＴｉは、それぞれ複数存在することから、以下では個別に示す際には各符号の末尾にｎ（ｎは自然数）を付して示す。
【００３８】
構成データＤｃでは、以下のことを示す。まず、演劇Ｄｒでは、２つの幕Ａｃと、その間に休憩時間ｔｂと、が設定される。その第１幕Ａｃ１では、演者Ｐ１が装飾品Ｔ１を装着しつつ物品Ｇ１を用いて登場し、演者Ｐ２が装飾品Ｔ２を装着して登場し、舞台のセットとして物品Ｇ２を用いる。同様に、第２幕Ａｃ２では、演者Ｐ１が装飾品Ｔ３を装着して登場し、演者Ｐ２が装飾品Ｔ２を装着して登場し、演者Ｐ３が装飾品Ｔ４を装着しつつ物品Ｇ３を用いて登場し、舞台のセットとして物品Ｇ４および物品Ｇ５を用いる。この例では、基本的に、各装飾品Ｔや各物品Ｇの情報を提供すべく演劇Ｄｒの構成に基づき各シーンＳｎを設定する。
【００３９】
詳細には、第１幕Ａｃ１において、そこで登場する装飾品Ｔ１、物品Ｇ１、装飾品Ｔ２および物品Ｇ２の情報を提供するウェブサイトＷｓ（図１４、図１５参照）の所在を示す各アドレス情報Ａ（以下では、単に対象物（装飾品Ｔや物品Ｇ）のアドレス情報Ａともいう）を提供すべく各シーンＳｎを設定する。その情報を提供するウェブサイトＷｓとは、それぞれの対象物の提供者が作成するものであり、例えば、対象物を個別に紹介（購入を可能とするものを含む）するものや（図１４、図１５参照）、対象物を含めた多数の商品を紹介するものがある。ここで、情報提供システム１０では、上述したように発信機１１が発信する発信信号Ｓｄを切り替えることで複数の情報の提供を可能とするので、上記した４つの情報の提供の順序を決めて各シーンＳｎを設定し、そのタイトルＴｉも併せて設定する。そのタイトルＴｉとは、各シーンＳｎを見分けるものであり、文字列や画像（アイコン等）を用いて形成する。タイトルＴｉは、例えば、各シーンＳｎを連想させるものとしたり、各シーンＳｎに対応付けられた登録情報Ｉｒ（アドレス情報Ａ）の内容を連想させるものとしたりする。
【００４０】
この例では、装飾品Ｔ１、物品Ｇ１、装飾品Ｔ２および物品Ｇ２の順で情報を提供するものとし、それぞれ順にシーンＳｎ１、Ｓｎ２、Ｓｎ３、Ｓｎ４およびタイトルＴｉ１、Ｔｉ２、Ｔｉ３、Ｔｉ４とする。そして、シーンＳｎ１で提供する装飾品Ｔ１のアドレス情報Ａ１を登録情報Ｉｒ１とし、シーンＳｎ２で提供する物品Ｇ１のアドレス情報Ａ２を登録情報Ｉｒ２とし、シーンＳｎ３で提供する装飾品Ｔ２のアドレス情報Ａ３を登録情報Ｉｒ３とし、シーンＳｎ４で提供する物品Ｇ２のアドレス情報Ａ４を登録情報Ｉｒ４とする。そして、中央制御機３０（その演算制御部３１）により、登録情報Ｉｒ１に識別情報Ｄｉ１が、登録情報Ｉｒ２に識別情報Ｄｉ２が、登録情報Ｉｒ３に識別情報Ｄｉ３が、登録情報Ｉｒ４に識別情報Ｄｉ４が、それぞれ対応付けて設定される。このとき、中央制御機３０（演算制御部３１）は、各識別情報Ｄｉと各登録情報Ｉｒとを対応付けて中央記憶部３５で記憶（保存）する。
【００４１】
また、この例では、休憩時間ｔｂにおいて、自由に設定した情報を提供するウェブサイトＷｓの所在を示す各アドレス情報Ａ５を提供すべくシーンＳｎ５を設定する。その自由に設定した情報とは、例えば、演劇Ｄｒの内容や、当該演劇Ｄｒに関わる劇団の情報や、その劇団員の情報や、当該演劇Ｄｒを行う劇場Ｔｈの情報や、その劇場Ｔｈの周辺の店舗の情報（クーポン等を含む）や、当該演劇Ｄｒの後援者のコマーシャルや、演劇Ｄｒや劇場Ｔｈとは関わりのない企業等のコマーシャル等、を自由に設定すればよい。この例では、劇場Ｔｈの周辺の店舗の情報を提供すべくシーンＳｎ５とそのタイトルＴｉ５とを設定して当該情報のアドレス情報Ａ５を登録情報Ｉｒ５としており、それに対応付けて識別情報Ｄｉ５が設定される。また、この例では、シーンＳｎ５を、休憩時間ｔｂの開始時刻よりも早めに開始し、かつ休憩時間ｔｂの終了時刻よりも遅めに終了させるように設定する。これにより、休憩時間ｔｂに席を外していた観客Ａｕの受信端末機１３に対しても情報を提供できる。
【００４２】
さらに、この例では、第２幕Ａｃ２において、そこで新たに登場する装飾品Ｔ３、装飾品Ｔ４、物品Ｇ３、物品Ｇ４および物品Ｇ５のウェブサイトＷｓを、その順に提供すべくシーンＳｎ６、Ｓｎ７、Ｓｎ８、Ｓｎ９、Ｓｎ１０と、そのタイトルＴｉ６、Ｔｉ７、Ｔｉ８、Ｔｉ９、Ｔｉ１０とを設定する。そして、構成データＤｃでは、シーンＳｎ６に提供する装飾品Ｔ３のアドレス情報Ａ６を登録情報Ｉｒ６とし、シーンＳｎ７に提供する装飾品Ｔ４のアドレス情報Ａ７を登録情報Ｉｒ７とし、シーンＳｎ８に提供する物品Ｇ３のアドレス情報Ａ８を登録情報Ｉｒ８とし、シーンＳｎ９に提供する物品Ｇ４のアドレス情報Ａ９を登録情報Ｉｒ９とし、シーンＳｎ１０に提供する物品Ｇ５のアドレス情報Ａ１０を登録情報Ｉｒ１０とする。そして、構成データＤｃでは、登録情報Ｉｒ６、Ｉｒ７、Ｉｒ８、Ｉｒ９、Ｉｒ１０に対応付けて識別情報Ｄｉ６、Ｄｉ７、Ｄｉ８、Ｄｉ９、Ｄｉ１０が設定される。
【００４３】
なお、この例では、各幕Ａｃに合わせて各シーンＳｎや提供する情報の種類を設定していたが、各シーンＳｎや提供する情報の種類は適宜設定すればよく、この例に限定されない。また、この例では、演劇Ｄｒが開始してから終了するまでの間に休みなく各シーンＳｎを設定（情報を提供）していたが、情報の提供を停止する時間を設けたり、演劇Ｄｒの開始前や終了後にも各シーンＳｎを設定（情報を提供）したりしてもよく、本実施例に限定されない。さらに、この例では、図１に示す演劇ＤｒをシナリオＳｒとしていたが、上述したようにシナリオＳｒを、例えば、会場でのコンサートおよびイベントや商業施設等として、それらに合わせて各シーンＳｎ（各登録情報Ｉｒ）を設定してもよい。その各登録情報Ｉｒは、例えば、会場でのコンサートやイベントの場合には、それらに関連するグッズや情報や後援者の情報とすることが考えられ、商業施設とした場合には、その中の店舗の情報（クーポン等を含む）や開催されるイベントの情報とすることが考えられる。
【００４４】
このように設定したシナリオＳｒ（その各シーンＳｎ）に基づいて、中央制御機３０の演算制御部３１が発信プログラムＰｄを生成する。その演算制御部３１は、基本的に、各シーンＳｎにおける登録情報Ｉｒに個別に対応させて識別情報Ｄｉを設定し、その識別情報ＤｉとシーンＳｎ（その継続時間ｔｃ）とそのタイトルＴｉとを個別に対応付けて発信プログラムＰｄを生成する。演算制御部３１は、生成した発信プログラムＰｄと、各識別情報ＤｉにシナリオＳｒと各登録情報Ｉｒと各シーンＳｎと各タイトルＴｉとを対応付けたデータと、を中央記憶部３５に記憶（保存）するとともに、その発信プログラムＰｄを中央通信部３３および操作機通信部４３を介して制御操作機４０（その操作機制御部４１）に送信する。
【００４５】
次に、この情報提供システム１０の制御装置１２の中央制御機３０の演算制御部３１で実行される発信プログラムＰｄの生成処理（そのアプリケーション）について図４を用いて説明する。演算制御部３１は、対象とするシナリオＳｒで設定された各シーンＳｎ（各登録情報ＩｒおよびタイトルＴｉ）を取得することで生成処理を実行できる。それらの取得は、上記したような構成データＤｃとして中央通信部３３を介して中央記憶部３５や内部メモリ３１ａに纏めて入力されてもよく、中央操作部３２により個別に入力されてもよい。図４の例では、中央操作部３２により個別に入力する。なお、構成データＤｃとして纏めて入力される場合でも、行う処理は基本的に同じであり、後述する中央操作部３２での入力を待つステップ（Ｓ２、Ｓ３）を、中央記憶部３５や内部メモリ３１ａからの取得に替えればよい。その図４は、本実施例の演算制御部３１（制御装置１２）で実行される一例としての生成処理を示すフローチャートであり、以下ではその各ステップについて説明する。このフローチャートは、上記したアプリケーションが起動されることで開始する。
【００４６】
ステップＳ１では、シナリオＳｒを設定して、ステップＳ２へ進む。このステップＳ１では、中央操作部３２を介して入力された名称をシナリオＳｒ（その題名）として設定する。例えば、上記した演劇Ｄｒを例とすると、その演目名をシナリオＳｒ（その題名）として設定する。
【００４７】
ステップＳ２では、ステップＳ１でのシナリオＳｒの設定、あるいは、ステップＳ６での発信プログラムＰｄの生成が終了していないとの判断に続き、登録情報Ｉｒが入力されたか否かを判断し、Ｙｅｓの場合はステップＳ３へ進み、Ｎｏの場合はステップＳ２を繰り返す。このステップＳ２では、中央操作部３２により登録情報Ｉｒが入力されたか否かを判断する。その入力は、中央操作部３２での直接の打ち込みでもよく、中央操作部３２への操作により中央通信部３３や中央記憶部３５から取得してもよい。また、ステップＳ２では、登録情報Ｉｒが入力されたと判断すると、シーンＳｎの設定を促す画面を中央表示部３４に表示させる。
【００４８】
ステップＳ３では、ステップＳ２での登録情報Ｉｒが入力されたとの判断に続き、その登録情報ＩｒのシーンＳｎが設定されたか否かを判断し、Ｙｅｓの場合はステップＳ４へ進み、Ｎｏの場合はステップＳ３を繰り返す。このステップＳ３では、入力された登録情報ＩｒをいずれのシーンＳｎとするか、すなわち登録情報Ｉｒの提供を開始する順番とその継続時間ｔｃとが設定されたか否かを判断する。また、ステップＳ３では、シーンＳｎのタイトルＴｉも併せて設定されたか否かを判断する。この各設定は、中央操作部３２での直接の打ち込みでもよく、中央操作部３２への操作により中央通信部３３や中央記憶部３５から取得してもよい。
【００４９】
ステップＳ４では、ステップＳ３でのシーンＳｎが設定されたとの判断に続き、そのシーンＳｎの登録情報Ｉｒに対応させて識別情報Ｄｉを設定して、ステップＳ５へ進む。このステップＳ４では、ステップＳ２で入力された登録情報Ｉｒに個別に対応させて１つの識別情報Ｄｉを設定し、その登録情報Ｉｒと識別情報Ｄｉとを対応付けて中央記憶部３５に記憶させる。
【００５０】
ステップＳ５では、ステップＳ４での識別情報Ｄｉの設定に続き、その識別情報ＤｉにシーンＳｎを対応付けて、ステップＳ６へ進む。このステップＳ５では、ステップＳ４で設定した識別情報Ｄｉを、それに対応付けた登録情報ＩｒのシーンＳｎに対応付けて中央記憶部３５に記憶させる。また、ステップＳ５では、そのシーンＳｎとして設定された順番に基づき、既に中央記憶部３５に記憶された他のシーンＳｎとの間での順序を設定する。
【００５１】
ステップＳ６では、ステップＳ５でのシーンＳｎの対応付けに続き、発信プログラムＰｄの生成が終了したか否かを判断し、Ｙｅｓの場合はステップＳ７へ進み、Ｎｏの場合はステップＳ２へ戻る。このステップＳ６では、中央操作部３２に発信プログラムＰｄの生成を終了する旨の操作が為されたか否かを判断する。なお、ステップＳ６は、構成データＤｃとして纏めて入力されるものとする場合には、その構成データＤｃに登録された全ての登録情報Ｉｒに対してシーンＳｎや識別情報Ｄｉを設定したか否かを判断する。
【００５２】
ステップＳ７では、ステップＳ６での発信プログラムＰｄの生成が終了したとの判断に続き、シナリオＳｒに対応付けた発信プログラムＰｄとして中央記憶部３５に記憶して、この生成処理を終了する。このステップＳ７では、ステップＳ５で早い順に並べ替えた各シーンＳｎを、ステップＳ１で設定したシナリオＳｒにおける発信プログラムＰｄとして中央記憶部３５に記憶する。
【００５３】
この図４に示す生成処理により、演算制御部３１は、識別情報ＤｉとシーンＳｎとそのタイトルＴｉとを個別に対応付けて発信プログラムＰｄを生成し、その発信プログラムＰｄにおける各識別情報Ｄｉが個別に対応する登録情報Ｉｒを中央記憶部３５に記憶する。なお、このような発信プログラムＰｄを生成するものであれば、図４とは異なる生成処理でもよく、本実施例に限定されない。演算制御部３１は、生成した発信プログラムＰｄを制御操作機４０（その操作機制御部４１）に送信する。その制御操作機４０（操作機制御部４１）は、受信した発信プログラムＰｄを操作機記憶部４５に記憶する。
【００５４】
そして、制御操作機４０（操作機制御部４１）では、本実施例では、図５から図７に示すように、発信プログラムＰｄの実行のための各操作画面Ｐｏを操作機表示部４４に適宜表示させる。操作機表示部４４では、図５に示すように、シナリオＳｒを選択するための操作画面Ｐｏ１が表示される。その操作画面Ｐｏ１では、操作機記憶部４５に記憶された各発信プログラムＰｄに対応する各シナリオＳｒを選択可能に表示し、図５の例では４つのシナリオＳｒ（発信プログラムＰｄ）を表示する。その操作画面Ｐｏ１でいずれか１つのシナリオＳｒが選択されると、操作機表示部４４では、図６に示すように、当該シナリオＳｒの各シーンＳｎを示す操作画面Ｐｏ２が表示される。その操作画面Ｐｏ２では、上部に当該発信プログラムＰｄ（シナリオＳｒ）を開始するための開始ボタンＢ１と、開始している発信プログラムＰｄを停止するための停止ボタンＢ２と、が表示され、かつその下に当該シナリオＳｒにおける各シーンＳｎ（図６ではＳｎ１からＳｎ３の３つ）が上から時系列で帯状に表示される。
【００５５】
その開始ボタンＢ１が操作されると、操作機制御部４１が発信プログラムＰｄを開始する。このとき、操作画面Ｐｏ２では、現時点が該当するシーンＳｎ、すなわち出力している発信指令Ｃｄが示す識別情報Ｄｉに対応付けされたシーンＳｎがいずれであるのかの認識を可能とし、本実施例では該当シーンＳｎを示す帯状の区画の色を他の区画と異なるものとする。また、停止ボタンＢ２が操作されると、操作機制御部４１が開始した発信プログラムＰｄの実行を停止する。このため、停止ボタンＢ２は、設定された継続時間ｔｃよりも識別情報Ｄｉを発信させるタイミングを遅らせることを可能とする。
【００５６】
加えて、操作画面Ｐｏ２では、各シーンＳｎを示す帯状の区画に、それぞれ送信ボタンＢ３が表示される。その送信ボタンＢ３は、操作されると、その時点で実行しているシーンＳｎの種類やその継続時間ｔｃに拘わらず、当該送信ボタンＢ３が表示された帯状の区画が示すシーンＳｎに対応付けされた識別情報Ｄｉを発信させる発信指令Ｃｄを、直ちに発信機１１へと出力する。このため、各送信ボタンＢ３は、設定された継続時間ｔｃよりも識別情報Ｄｉを発信させる時機（タイミング）を早めることを可能とする。これにより、各送信ボタンＢ３に為された操作が発信操作Ｏｄとなり、その各送信ボタンＢ３が発信操作部として機能する。
【００５７】
そして、操作画面Ｐｏ２でいずれか１つのシーンＳｎが選択されると、操作機表示部４４では、図７に示すように、当該シーンＳｎの詳細な情報を示す操作画面Ｐｏ３が表示される。その操作画面Ｐｏ３では、上から順に、当該シーンＳｎのタイトルＴｉ（Ｔｉ１）と、当該シーンＳｎの継続時間ｔｃ（ｔｃ１）と、当該シーンＳｎの詳細な情報の情報記載欄Ｃｉと、が表示される。その情報記載欄Ｃｉは、当該シーンＳｎに対応付けされた登録情報Ｉｒの概要の把握を可能とする情報が記載され、例えば、登録情報Ｉｒ（アドレス情報Ａ）や、そこへのアクセスのためのアイコン等が記載される。なお、上記した各操作画面Ｐｏは、発信プログラムＰｄの実行のために操作機表示部４４に表示されるものであれば、使い勝手等に応じて適宜設定すればよく、本実施例の構成に限定されない。
【００５８】
次に、その操作機制御部４１で実行される発信プログラムＰｄの実行処理（そのアプリケーション）について説明する。この実行処理は、上述したように、発信プログラムＰｄに基づいて識別情報Ｄｉを発信するものであり、図８を用いて説明する。その図８は、本実施例の操作機制御部４１（制御操作機４０）で実行される一例としての実行処理を示すフローチャートであり、以下ではその各ステップについて説明する。このフローチャートは、上記したアプリケーションが起動されているとともに、いずれかのシナリオＳｒが選択されて操作機表示部４４に表示された操作画面Ｐｏ２において開始ボタンＢ１への操作により選択された発信プログラムＰｄが開始されることで開始する。
【００５９】
ステップＳ１１では、変数ｍを１（ｍ＝１）として、ステップＳ２へ進む。この変数ｍは、現時点が該当するシーンＳｎが何番目の順番とされたものであるのかをカウントするために用いるものであり、ステップＳ１１では当該変数ｍを１とする。
【００６０】
ステップＳ１２では、ステップＳ１１での変数ｍを１とすること、あるいは、ステップＳ１８でのすべてのシーンＳｎが終了していないとの判断に続き、ｍ番目のシーンＳｎとなったか否かを判断し、Ｙｅｓの場合はステップＳ１３へ進み、Ｎｏの場合はステップＳ１５へ進む。このステップＳ１２では、ｍ番目に設定されたシーンＳｎとなったか否か、すなわちｍ−１番目のシーンＳｎとなってからそこに設定された継続時間ｔｃが経過したか否かを判断する。このため、この発信プログラムＰｄが開始されて最初のステップＳ１２では、１番目のシーンＳｎとなるのでＹｅｓと判断してステップＳ１３へ進む。
【００６１】
ステップＳ１３では、ステップＳ１２でのｍ番目のシーンＳｎとなったとの判断に続き、ｍ番目のシーンＳｎの発信指令Ｃｄを出力して、ステップＳ１４へ進む。このステップＳ１３では、ｍ番目のシーンＳｎに対応付けされた識別情報Ｄｉを発信させる発信指令Ｃｄを生成し、その発信指令Ｃｄを操作機通信部４３から発信機１１へと出力させる。
【００６２】
ステップＳ１４では、ステップＳ１３での発信指令Ｃｄの出力に続き、ｍ＋１を新たな変数ｍとして、ステップＳ１８へ進む。このステップＳ１４では、ステップＳ１３で発信指令Ｃｄを出力したので、次の順番のシーンＳｎの発信指令Ｃｄを出力すべく、変数ｍ（その現状の値）に１を加算して新たな変数ｍ（ｍ＝ｍ＋１）とする。
【００６３】
ステップＳ１５では、ステップＳ１２でのｍ番目のシーンＳｎとなっていないとの判断に続き、発信操作Ｏｄが為されたか否かを判断し、Ｙｅｓの場合はステップＳ１６へ進み、Ｎｏの場合はステップＳ１８へ進む。このステップＳ１５では、発信操作Ｏｄが為されたか否か、すなわち操作機表示部４４に表示された操作画面Ｐｏ２におけるいずれかの送信ボタンＢ３（発信操作部）が操作されたか否かを判断する。
【００６４】
ステップＳ１６では、ステップＳ１５でのいずれかの送信ボタンＢ３が操作されたとの判断に続き、その送信ボタンＢ３が位置するシーンＳｎの発信指令Ｃｄを出力して、ステップＳ１７へ進む。このステップＳ１６では、ステップＳ１５で発信操作Ｏｄされた送信ボタンＢ３が表示された帯状の区画が示すシーンＳｎに対応付けされた識別情報Ｄｉを発信させる発信指令Ｃｄを生成し、その発信指令Ｃｄを操作機通信部４３から発信機１１へと出力させる。このため、送信ボタンＢ３（発信操作部）が位置するシーンＳｎに対応付けされた識別情報Ｄｉが、発信操作Ｏｄが対応する識別情報Ｄｉとなる。
【００６５】
ステップＳ１７では、ステップＳ１６での発信指令Ｃｄの出力に続き、その発信指令Ｃｄが示すシーンＳｎの順番に１を加算した数字を新たな変数ｍとして、ステップＳ１８へ進む。このステップＳ１７では、ステップＳ１６において、ステップＳ１５で操作された送信ボタンＢ３が表示された帯状の区画が示すシーンＳｎが示す識別情報Ｄｉに対応付けされた発信指令Ｃｄを出力したので、その次の順番のシーンＳｎの発信指令Ｃｄを出力すべく、発信指令Ｃｄを出力したシーンＳｎの順番ｎに１を加算した数字を新たな変数ｍ（ｍ＝ｎ＋１）とする。
【００６６】
ステップＳ１８では、ステップＳ１４でのｍ＋１を新たな変数ｍとすること、あるいは、ステップＳ１５でのいずれの送信ボタンＢ３も操作されていないとの判断、あるいは、ステップＳ１７でのステップＳ１６で出力した発信指令Ｃｄが示すシーンＳｎの順番に１を加算した数字を新たな変数ｍとすることに続き、すべてのシーンＳｎが終了したか否かを判断し、Ｙｅｓの場合はステップＳ１９へ進み、Ｎｏの場合はステップＳ１２へ戻る。このステップＳ１８では、この発信プログラムＰｄが示すシナリオＳｒにおけるすべてのシーンＳｎが示す識別情報Ｄｉに対応付けされた発信指令Ｃｄを出力した後、その最後のシーンＳｎに設定された継続時間ｔｃが経過したか否かを判断する。
【００６７】
ステップＳ１９では、ステップＳ１８でのすべてのシーンＳｎが終了したとの判断に続き、発信を停止する指令を発信機１１へと出力して実行処理を終了する。
【００６８】
この図８に示す実行処理により、操作機制御部４１は、基本的に、最も早い順番に設定された（一番上に表示させた）シーンＳｎに対応付けされた識別情報Ｄｉを発信させる発信指令Ｃｄを発信機１１へと出力し、そのシーンＳｎに設定された継続時間ｔｃが経過すると、次のシーンＳｎに対応付けされた識別情報Ｄｉを発信させる発信指令Ｃｄを発信機１１へと出力することを繰り返す。また、その間に、各送信ボタンＢ３に発信操作Ｏｄが為されると、それに対応する識別情報Ｄｉを発信させる発信指令Ｃｄを発信機１１へと出力する。加えて、操作機制御部４１は、停止ボタンＢ２が操作されると、上記した実行処理を中断する。そして、操作機制御部４１は、最後の順番に設定されたシーンＳｎに対応付けされた識別情報Ｄｉを発信させる発信指令Ｃｄを発信機１１へと出力して、そのシーンＳｎに設定された継続時間ｔｃが経過すると発信を停止する指令を発信機１１へと出力して発信プログラムＰｄを終了する。この発信指令Ｃｄにより、発信機１１が発信する発信信号Ｓｄを切り替える。
【００６９】
次に、その発信機１１の発信制御部２１で実行される切替発信処理（そのアプリケーション）について説明する。この切替発信処理は、発信機１１（その発信出力部２３）が、制御装置１２（制御操作機４０）からの発信指令Ｃｄに応じて、発信信号Ｓｄを適宜切り替えて発信（出力）するものであり、図９を用いて説明する。その図９は、本実施例の発信制御部２１（発信機１１）で実行される一例としての切替発信処理を示すフローチャートであり、以下ではその各ステップについて説明する。このフローチャートは、発信機１１において切替発信処理のためのアプリケーションが起動されることで開始する。
【００７０】
ステップＳ２１では、発信記憶部２４に記憶している発信信号Ｓｄを発信（出力）して、ステップＳ２２へ進む。このステップＳ２１では、現時点で発信記憶部２４に記憶している発信信号Ｓｄを発信出力部２３から発信（出力）させる（発信処理）。なお、ステップＳ２１では、発信記憶部２４に発信信号Ｓｄが記憶されていない場合には、発信出力部２３から何も発信（出力）させることなくステップＳ２２へ進む。
【００７１】
ステップＳ２２では、ステップＳ２１での発信信号Ｓｄの発信、あるいはステップＳ２３での発信指令Ｃｄを受信していないとの判断に続き、切替発信処理を終了するか否かを判断し、Ｙｅｓの場合は切替発信処理を終了し、Ｎｏの場合はステップＳ２３へ進む。このステップＳ２２では、実行している切替発信処理を終了するか否かを判断する。本実施例のステップＳ２２では、制御操作機４０から発信を停止する指令または切替発信処理を終了する指令を発信通信部２２で受信したり、発信機１１において駆動を停止する操作や切替発信処理を終了する操作が為されたりすると、終了するものと判断する。
【００７２】
ステップＳ２３では、ステップＳ２２での切替発信処理を終了しないとの判断に続き、発信指令Ｃｄを受信したか否かを判断し、Ｙｅｓの場合はステップＳ２４へ進み、Ｎｏの場合はステップＳ２２へ戻る。このステップＳ２２では、制御操作機４０（その操作機通信部４３）からの発信指令Ｃｄを、発信通信部２２で受信したか否かを判断し、受信した場合にはその発信指令Ｃｄを発信記憶部２４に記憶（保存）する（取得処理）。
【００７３】
ステップＳ２４では、ステップＳ２３での発信指令Ｃｄを受信したとの判断に続き、その発信指令Ｃｄから発信信号Ｓｄを生成して、ステップＳ２５へ進む。このステップＳ２４では、発信指令Ｃｄが示す識別情報Ｄｉを発信信号Ｓｄに符号化する（符号化処理）。
【００７４】
ステップＳ２５では、ステップＳ２４での発信信号Ｓｄの生成に続き、生成した発信信号Ｓｄを発信記憶部２４に記憶（保存）して、ステップＳ２１へ戻る。このステップＳ２５では、ステップＳ２４で生成した発信信号Ｓｄを発信記憶部２４に上書きして記憶（保存）、すなわち発信記憶部２４の記憶をステップＳ２４で生成した発信信号Ｓｄに書き替える。なお、ステップＳ２５で先の発信信号Ｓｄと新たな発信信号Ｓｄとの双方を記憶し、ステップＳ２１で最新の発信信号Ｓｄを発信させる構成としてもよい。
【００７５】
この図９に示す切替発信処理により、発信出力部２３は、操作機制御部４１からの発信指令Ｃｄを受けると、その発信指令Ｃｄが示す識別情報Ｄｉを発信信号Ｓｄに符号化し、その符号化した発信信号Ｓｄを発信する。これにより、発信出力部２３は、発信プログラムＰｄのシナリオＳｒとして予め設定された各シーンＳｎすなわち予め設定された時機となると当該各シーンＳｎ（時期）に設定された識別情報Ｄｉを示す発信信号Ｓｄを発信し、かつ制御操作機４０の発信操作部（送信ボタンＢ３）に発信操作Ｏｄが為されると当該発信操作Ｏｄに対応する識別情報Ｄｉを示す発信信号Ｓｄを直ちに発信する。この発信信号Ｓｄは、各受信端末機１３により受信される。
【００７６】
次に、その受信端末機１３の端末制御部５１で実行される識別情報取得処理（そのアプリケーション）について説明する。この識別情報取得処理は、発信機１１から発信された発信信号Ｓｄから識別情報Ｄｉを取得するものであり、図１０を用いて説明する。その図１０は、本実施例の端末制御部５１（受信端末機１３）で実行される一例としての識別情報取得処理を示すフローチャートであり、以下ではその各ステップについて説明する。このフローチャートは、受信端末機１３において識別情報取得処理のためのアプリケーションが起動されることで開始する。
【００７７】
ステップＳ３１では、発信信号Ｓｄを受信したか否かを判断し、Ｙｅｓの場合はステップＳ３２へ進み、Ｎｏの場合はステップＳ３１を繰り返す。このステップＳ３１では、受信端末機１３の受信部５２で発信信号Ｓｄを受信したかを判断する。
【００７８】
ステップＳ３２では、ステップＳ３１での発信信号Ｓｄの受信に続き、その受信した発信信号Ｓｄが示す識別情報Ｄｉを端末記憶部５６に記憶（保存）してステップＳ３３へ進む。このステップＳ３３では、受信した発信信号Ｓｄを識別情報Ｄｉに復号し、その識別情報Ｄｉを端末記憶部５６に記憶（保存）する。なお、ステップＳ３２では、ステップＳ３１で受信した発信信号Ｓｄが既に端末記憶部５６に記憶されている場合には、端末記憶部５６に記憶させない。また、記憶させないことに替えて、ステップＳ３１で発信信号Ｓｄにおいて受信を行わせないものでもよい。
【００７９】
ステップＳ３３では、ステップＳ３２での識別情報Ｄｉの記憶（保存）に続き、識別情報取得処理を終了するか否かを判断し、Ｙｅｓの場合は識別情報取得処理を終了し、Ｎｏの場合はステップＳ３１へ戻る。このステップＳ３３では、識別情報取得処理のためのアプリケーションが続行されると識別情報Ｄｉの取得を継続すべくステップＳ３１へ戻り、そのアプリケーションが終了されると識別情報Ｄｉの取得を終了する。そのアプリケーションの続行は、当該アプリケーションを終了させる操作が為されていないことや、続行の有無を確認させることにより判断する。
【００８０】
この図１０に示す識別情報取得処理により、各受信端末機１３（端末制御部５１）では、発信機１１から発信された複数の発信信号Ｓｄが示す複数の識別情報Ｄｉを取得して端末記憶部５６に記憶する。その各受信端末機１３（端末制御部５１）では、端末記憶部５６に記憶した各識別情報Ｄｉを用いて対応する各登録情報Ｉｒを取得する。
【００８１】
次に、その受信端末機１３の端末制御部５１で実行される登録情報取得処理（そのアプリケーション）について説明する。この登録情報取得処理は、取得した各識別情報Ｄｉに対応付けられた登録情報Ｉｒ（アドレス情報Ａ）を中央制御機３０（その演算制御部３１）から取得するものであり、図１１を用いて説明する。その図１１は、本実施例の端末制御部５１（受信端末機１３）で実行される一例としての登録情報取得処理を示すフローチャートであり、以下ではその各ステップについて説明する。このフローチャートは、登録情報取得処理のためのアプリケーションが起動されるとともに上記した識別情報取得処理により少なくとも１つ以上の識別情報Ｄｉが端末記憶部５６に記憶（保存）されていることで開始する。なお、アプリケーションの起動は、上記した識別情報取得処理から連続して起動されていてもよく、一度終了した後に起動されてもよい。
【００８２】
ステップＳ４１では、識別情報Ｄｉを受信している旨を通知して、ステップＳ４２へ進む。このステップＳ４１では、少なくとも１つの識別情報Ｄｉが端末記憶部５６に記憶（保存）されていることを示す通知を行う。その通知は、端末表示部５４にその旨を示す文字やアイコン等を表示してもよく、振動や音を出力するものでもよい。本実施例のステップＳ４１では、受信した識別情報Ｄｉ毎に受信していることを示すアイコンを表示し、各アイコン（識別情報Ｄｉ）の選択を可能とする。この際、端末記憶部５６で複数の識別情報Ｄｉを記憶している場合には、それらを並べて端末表示部５４に表示させてもよく、いずれか１つを切り替え可能に端末表示部５４に表示させてもよい。
【００８３】
ステップＳ４２では、ステップＳ４１での識別情報Ｄｉを受信している旨の通知、あるいは、ステップＳ４４での識別情報Ｄｉを受信している旨を通知する状態に戻るとの判断に続き、いずれか１つの識別情報Ｄｉが選択されたか否かを判断し、Ｙｅｓの場合はステップＳ４３へ進み、Ｎｏの場合はステップＳ４２を繰り返す。このステップＳ４２では、端末入力部５３への操作により、端末表示部５４に表示した各通知が示す識別情報Ｄｉのうちのいずれか１つが選択されたか否かを判断し、選択された場合には当該識別情報Ｄｉが対応付けされた登録情報Ｉｒを取得すべくステップＳ４３に進む。
【００８４】
ステップＳ４３では、ステップＳ４２での識別情報Ｄｉが選択されたとの判断に続き、その識別情報Ｄｉが対応付けされた登録情報Ｉｒを取得して、ステップＳ４４へ進む。このステップＳ４３では、端末通信部５５を介して制御装置１２の制御操作機４０の操作機制御部４１にアクセスし、その操作機制御部４１から選択された識別情報Ｄｉに対応付けされた登録情報Ｉｒ（アドレス情報Ａ）とシナリオＳｒとシーンＳｎとタイトルＴｉとを取得し、それらを対応付けて端末記憶部５６に記憶（保存）する。そして、ステップＳ４３では、ウェブブラウザを起動し、取得したアドレス情報Ａが示すＵＲＬ（Ｕｎｉｆｏｒｍ  Ｒｅｓｏｕｒｃｅ  Ｌｏｃａｔｏｒ）を当該ウェブブラウザに渡して当該ＵＲＬにアクセスし、そのＵＲＬが示すウェブサイトＷｓを端末表示部５４に表示させる。なお、ステップＳ４３では、ウェブサイトＷｓへのアクセスは行わなくても良い。
【００８５】
ステップＳ４４では、ステップＳ４３での登録情報Ｉｒの取得、あるいは、ステップＳ４５での登録情報取得処理を終了しないとの判断に続き、識別情報Ｄｉを受信している旨を通知する状態に戻るか否かを判断し、Ｙｅｓの場合はステップＳ４２へ戻り、Ｎｏの場合はステップＳ４５へ進む。このステップＳ４４では、識別情報Ｄｉを受信している旨を通知する状態に戻る旨の操作（例えば、前の画面に戻る操作）が為されたか否かを判断する。
【００８６】
ステップＳ４５では、ステップＳ４４での識別情報Ｄｉを受信している旨を通知する状態に戻らないとの判断に続き、登録情報取得処理を終了するか否かを判断し、Ｙｅｓの場合は登録情報取得処理を終了し、Ｎｏの場合はステップＳ４４へ戻る。このステップＳ４５では、識別情報Ｄｉを受信している旨を通知する状態に戻らない場面であることから、各識別情報Ｄｉに対応付けされた登録情報Ｉｒの取得を終了する旨の操作（例えば、当該アプリケーションを終了させる操作）が為されたか否かを判断する。
【００８７】
この図１１に示す登録情報取得処理により、各受信端末機１３（端末制御部５１）では、発信プログラムＰｄのシナリオＳｒとして予め設定された各シーンＳｎにおいて発信機１１から発信された各識別情報Ｄｉに対応する登録情報Ｉｒ（アドレス情報Ａ）を取得できる。そして、本実施例の各受信端末機１３（端末制御部５１）では、図１２および図１３に示すように、取得した登録情報Ｉｒ（アドレス情報Ａ）を選択して表示させるための各情報選択画面Ｐｉを端末表示部５４に適宜表示させる。端末表示部５４では、図１２に示すように、取得した登録情報Ｉｒ（アドレス情報Ａ）を選択するための情報選択画面Ｐｉ１が表示される。その情報選択画面Ｐｉ１では、各登録情報Ｉｒに対応付けて端末記憶部５６に記憶されたシナリオＳｒを、選択可能に表示し、図１２の例では２つのシナリオＳｒを表示する。その情報選択画面Ｐｉ１でいずれか１つのシナリオＳｒが選択されると、端末表示部５４では、図１３に示すように、当該シナリオＳｒにおいて取得している各登録情報Ｉｒ（アドレス情報Ａ）の選択のための情報選択画面Ｐｉ２が表示される。その情報選択画面Ｐｉ２では、各登録情報Ｉｒに対応付けて端末記憶部５６に記憶されたシーンＳｎのタイトルＴｉが、上から時系列で帯状に表示され、図１３の例では３つのタイトルＴｉ（シーンＳｎ）が表示される。
【００８８】
その情報選択画面Ｐｉ２でいずれか１つのシーンＳｎ（タイトルＴｉ）が選択されると、その選択されたシーンＳｎに対応付けされた登録情報Ｉｒ（アドレス情報Ａ）が所在を示すウェブサイトＷｓにアクセスして、端末表示部５４に表示させる。すると、例えば、選択したものが上述した演者Ｐ１の装着する装飾品Ｔ１のアドレス情報Ａ１（登録情報Ｉｒ１）である場合、図１４に示すように、装飾品Ｔ１の情報を示すウェブサイトＷｓ１にアクセスできる。本実施例では、当該ウェブサイトＷｓ１において、装飾品Ｔ１の画像とともに、それを装着していた演者Ｐ１と、登場した第１幕Ａｃ１と、このウェブサイトＷｓ１の所在を示すアドレス情報Ａ１´と、表示する商品（装飾品Ｔ１）の購入のための購入アイコンＩｂと、を表示する。これにより、各観客Ａｕは、演者Ｐ１が第１幕Ａｃ１で装着した装飾品Ｔ１の情報を取得でき、その詳細な情報も容易に取得でき、かつその装飾品Ｔ１を容易に購入できる。このことは、他の装飾品Ｔや物品Ｇであっても同様である。
【００８９】
また、選択したものが上述した休憩時間ｔｂに設定されたシーンＳｎ５におけるアドレス情報Ａ１（登録情報Ｉｒ１）である場合、図１５に示すように、劇場Ｔｈの周辺にある店舗の情報を示すウェブサイトＷｓ５にアクセスできる。この図１５では、当該店舗の一押しのソファＳｆの画像とともに、当該店舗で利用可能なクーポンＣｏと、当該店舗の名称Ｓｈと、この店舗のウェブサイトＷｓ５の所在を示すアドレス情報Ａ５´と、表示している商品（ソファＳｆ）の購入のための購入アイコンＩｂと、を表示する。このため、当該店舗は、演劇Ｄｒを観に来ていた各観客Ａｕに宣伝できる。
【００９０】
次に、この情報提供システム１０を用いて、対象とするシナリオＳｒである演劇Ｄｒを観に劇場Ｔｈを訪れた各観客Ａｕに複数の情報を提供するまでの動作の一例を説明する。この情報提供システム１０では、各観客Ａｕに対して、各自が持つ受信端末機１３において当該システムに対応するアプリケーションを起動するように報知する。ここで、例えば、このアプリケーションを劇場Ｔｈの入り口等で取得可能とすることにより、各観客Ａｕの受信端末機１３における当該アプリケーションの搭載率を高められる。情報提供システム１０では、中央制御機３０の演算制御部３１が生成処理（図４のフローチャート）で生成した発信プログラムＰｄを制御操作機４０の操作機制御部４１が実行処理（図８のフローチャート）を実行する。すると、情報提供システム１０では、発信機１１の発信制御部２１が切替発信処理（図９のフローチャート）を実行し、受信端末機１３の端末制御部５１が識別情報取得処理（図１０のフローチャート）を実行する。
【００９１】
すなわち、制御操作機４０（操作機制御部４１）では、図８のフローチャートのステップＳ１１→Ｓ１２→Ｓ１３へと進み、最初のシーンＳｎ１に対応する識別情報Ｄｉ１の発信指令Ｃｄを出力する。すると、発信機１１（発信制御部２１）では、図９のフローチャートのステップＳ２１→Ｓ２２→Ｓ２３→Ｓ２４→Ｓ２５→Ｓ２１へと進み、発信指令Ｃｄを受信し、それが示す識別情報Ｄｉ１を符号化した発信信号Ｓｄを発信する。すると、受信端末機１３（端末制御部５１）では、図１０のフローチャートのステップＳ３１により発信された発信信号Ｓｄを受信し、ステップＳ３２へと進んでその発信信号Ｓｄが示す識別情報Ｄｉ１を端末記憶部５６に記憶（保存）する。これにより、情報提供システム１０では、最初のシーンＳｎ１として設定された識別情報Ｄｉ１を各観客Ａｕの受信端末機１３に提供できる。
【００９２】
その後、情報提供システム１０では、制御操作機４０（操作機制御部４１）において、シーンＳｎ１の継続時間ｔｃが経過するまで図８のフローチャートのステップＳ１４→Ｓ１８→Ｓ１２→Ｓ１５→Ｓ１８へと進むことを繰り返し、継続時間ｔｃが経過するとステップＳ１８→Ｓ１２→Ｓ１３へと進み、２番目のシーンＳｎ２に対応する識別情報Ｄｉ２の発信指令Ｃｄを出力する。すると、発信機１１（発信制御部２１）では、上記したことと同様に、その発信指令Ｃｄを受信し、それが示す識別情報Ｄｉ２を符号化した発信信号Ｓｄを発信する。そして、受信端末機１３（端末制御部５１）では、上記したことと同様に、発信された発信信号Ｓｄが示す識別情報Ｄｉ２を端末記憶部５６に記憶（保存）する。これにより、情報提供システム１０では、次のシーンＳｎ２として設定された識別情報Ｄｉ２を各観客Ａｕの受信端末機１３に提供できる。
【００９３】
そして、情報提供システム１０では、上記のことを繰り返すことで、対象とするシナリオＳｒである演劇Ｄｒにおいて、その進行に合わせてすべてのシーンＳｎに対応付けて設定された各識別情報Ｄｉを各観客Ａｕの受信端末機１３に提供できる。また、制御操作機４０（操作機制御部４１）において、途中で操作画面Ｐｏ２の送信ボタンＢ３が操作（発信操作Ｏｄ）されると、図８のフローチャートのステップＳ１８→Ｓ１２→Ｓ１５→Ｓ１６へと進み、当該送信ボタンＢ３が表示された帯状の区画が示すシーンＳｎに対応する識別情報Ｄｉの発信指令Ｃｄを出力する。すると、上記したことと同様に、発信機１１（発信制御部２１）が該当する識別情報Ｄｉの発信信号Ｓｄを発信し、受信端末機１３（端末制御部５１）が該当する識別情報Ｄｉを端末記憶部５６に記憶（保存）する。これにより、情報提供システム１０では、各シーンＳｎの順番や時機とは関係なく、送信ボタンＢ３に為された操作（発信操作Ｏｄ）に対応するシーンＳｎに設定された識別情報Ｄｉを各観客Ａｕの受信端末機１３に提供できる。
【００９４】
そして、情報提供システム１０では、受信端末機１３において、図１１のフローチャートのステップＳ４１により、識別情報Ｄｉを受信している旨を通知（アイコン）を端末表示部５４に表示させる。そして、観客Ａｕが、端末表示部５４に表示された各識別情報Ｄｉ（アドレス情報Ａ）の中からいずれか１つを選択すると、図１１のフローチャートにおいて、ステップＳ４２→Ｓ４３へと進み、その選択したアドレス情報Ａが所在を示すウェブサイトＷｓにアクセスして端末表示部５４に表示させる（図１４、図１５参照）。
【００９５】
上記した構成であるため、本実施例の情報提供システム１０では、以下の各作用効果を得られる。その情報提供システム１０では、対象とする場所に集まった人々が持つ各受信端末機１３に、発信機１１からの各発信信号Ｓｄを自動的に受信させて対応する各登録情報Ｉｒを取得させることができる。このため、情報提供システム１０では、集まった人々に情報の検索をさせることなく、任意の複数の情報を取得させることができるので、各人に積極的に複数の情報を提供でき、従来であれば検索等の迂遠な作業によりウェブサイトＷｓに訪れなかった人々のような潜在的な客層の開拓にも寄与できる。
【００９６】
また、情報提供システム１０では、対象とする場所に対応させて複数の登録情報Ｉｒを設定し、その各登録情報Ｉｒに対応する識別情報Ｄｉから生成した各発信信号Ｓｄを発信機１１から発信させる。このため、情報提供システム１０では、対象とする場所に応じて各登録情報Ｉｒを設定でき、その各登録情報Ｉｒを集まった人々（その受信端末機１３）に提供できる。これにより、情報提供システム１０では、対象とする場所に応じて、集まった人々の好みに応じた複数の情報を各人に取得させることができる。
【００９７】
さらに、情報提供システム１０では、発信機１１（発信出力部２３）が、制御装置１２（制御操作機４０）からの発信指令Ｃｄに応じて、示す識別情報Ｄｉの異なる発信信号Ｓｄを適宜切り替えて発信（出力）する。このため、情報提供システム１０では、単一の発信機１１を多くの人が集まる場所に設置するだけで、複数の情報（登録情報Ｉｒ）を各人に取得させることができる。
【００９８】
情報提供システム１０では、演劇Ｄｒを対象（シナリオＳｒ）とすることで、その演劇Ｄｒを観に来た各観客Ａｕが持つ各受信端末機１３が、発信機１１から発信された各発信信号Ｓｄを自動的に受信する。このため、情報提供システム１０では、各観客Ａｕに各演者Ｐ等に関連する情報の検索をさせることなくそれらの情報を取得させることができる。これにより、各観客Ａｕは、何らの作業を行うことなく演劇Ｄｒを観ているだけで、例えば演者Ｐが装着する装飾品Ｔの情報を取得でき、その装飾品Ｔの購入が容易となる。このことから、情報提供システム１０では、観客Ａｕによる装飾品Ｔ等の購入を容易にでき、検索等を敬遠するが興味はある観客Ａｕ等の潜在的な客層の開拓にも寄与できる。
【００９９】
情報提供システム１０では、対象とするもの（シナリオＳｒ）に応じて、設定した複数の情報（登録情報Ｉｒ）を示す発信信号Ｓｄを発信する時機（タイミング（各シーンＳｎ））を設定できる。このため、情報提供システム１０では、対象とするものに応じた適切な時機に、適切な情報を各人の受信端末機１３に提供でき、各人が興味を持った際に即時に情報を提供できる。これにより、情報提供システム１０では、購買意欲が最も高まった時に情報を提供でき、販売のチャンスを広げることができる。
【０１００】
情報提供システム１０では、発信操作Ｏｄを行うことで、複数の情報（登録情報Ｉｒ）を示す発信信号Ｓｄを任意の時機に発信できる。このため、情報提供システム１０では、対象とするもの（シナリオＳｒ）が当初の予定通りに進行していない場合等の急遽の変更に対応させて情報を提供できる。特に、情報提供システム１０では、停止ボタンＢ２を操作（停止操作）することで開始した発信プログラムＰｄの実行を停止できるので、併せて用いることで情報を提供する時機の自由度を確保でき、想定外の状況でも柔軟に対応して複数の情報を各受信端末機１３（各観客Ａｕ）に提供できる。
【０１０１】
情報提供システム１０では、制御装置１２が、各識別情報Ｄｉを設定し各登録情報Ｉｒに対応付けて記憶する中央制御機３０と、発信指令Ｃｄを発信機１１へ向けて出力する制御操作機４０と、を有する。このため、情報提供システム１０では、中央制御機３０で対象とするもの（シナリオＳｒ）の複数の情報（各登録情報Ｉｒ）に対応付けて各識別情報Ｄｉを設定し、その情報に基づいて制御操作機４０が発信指令Ｃｄを出力できる。これにより、情報提供システム１０では、単一の中央制御機３０で複数の対象とするもの（シナリオＳｒ）を設定し、それぞれの対象とするもの（シナリオＳｒ）に対して制御操作機４０を用いることで、異なる場所に存在する複数の対象に対して同時に同一の複数の情報や異なる複数の情報を提供できる。すなわち、情報提供システム１０では、対応するアプリケーションを搭載した複数の制御操作機４０と複数の発信機１１とを用意すれば、単一の中央制御機３０で各制御操作機４０および各発信機１１を同時に異なる場所で様々な情報の提供に用いることができる。
【０１０２】
情報提供システム１０では、所定の能力を有する情報処理装置に対応するアプリケーションを搭載するだけで制御操作機４０として用いることができるので、汎用性を高めることができ、多くの者が簡単に利用することができる。加えて、情報提供システム１０では、所定の能力を有する情報処理装置に対応するアプリケーションを搭載するだけで、情報の提供先となる各受信端末機１３にできるので、より多くの者に複数の情報を簡易に取得させることができる。
【０１０３】
情報提供システム１０では、制御操作機４０の発信操作部（各送信ボタンＢ３）で発信操作Ｏｄができるので、対象とするそれぞれのもの（シナリオＳｒ）での進行度合いに応じて適宜発信信号Ｓｄを発信させることができ、使い勝手をより向上できる。
【０１０４】
情報提供システム１０では、中央制御機３０が各識別情報Ｄｉに対応付けて各登録情報Ｉｒ（アドレス情報Ａ）を記憶するので、発信機１１から発信させる識別情報Ｄｉの情報量や、制御操作機４０から出力させる発信指令Ｃｄの情報量を小さくできる。このため、情報提供システム１０では、発信機１１が、発信指令Ｃｄに応じて、示す識別情報Ｄｉの異なる発信信号Ｓｄを適宜切り替えて発信（出力）することを容易にできる。
【０１０５】
情報提供システム１０では、各受信端末機１３が各識別情報Ｄｉに基づいて、中央制御機３０から対応付けされた各登録情報Ｉｒ（アドレス情報Ａ）を取得するので、制御操作機４０での各発信指令Ｃｄの生成や各受信端末機１３での各識別情報Ｄｉの復号を簡易にできる。
【０１０６】
情報提供システム１０では、発信プログラムＰｄにおける発信信号Ｓｄを発信する時機（タイミング（各シーンＳｎ））をその順番と継続時間ｔｃとで設定するものとし、かつ制御装置１２（制御操作機４０）において開始させる操作を行うことで発信プログラムＰｄを開始する。このため、情報提供システム１０では、対象とするもの（シナリオＳｒ）が、演劇Ｄｒやコンサートやイベントのように、開始時間が変更されてもその後の進行は予定通りに行われるものの場合での使い勝手を向上できる。
【０１０７】
情報提供システム１０では、対象（シナリオＳｒ）に応じて提供する複数の情報（登録情報Ｉｒ）を任意に設定できるため、演劇Ｄｒを対象（シナリオＳｒ）とすることで各演者Ｐが装着する装飾品Ｔや用いる物品Ｇの情報を提供できるので、装飾品Ｔや物品Ｇを販売するものにとって大きな利点がある。特に、演劇Ｄｒを観るために演劇Ｄｒまで足を運ぶ観客Ａｕは、出演する演者Ｐ等に対して熱狂的であり、演者Ｐが装着した装飾品Ｔや用いた物品Ｇに対する購買欲が大きい場合が多いのでより利点が大きい。このため、情報提供システム１０では、装飾品Ｔや物品Ｇ等の情報を各観客Ａｕに提供する権利を、その装飾品Ｔや物品Ｇ等を販売する者に売ることで、演劇Ｄｒの資金集めに利用できる。加えて、本実施例では、演劇Ｄｒを行う劇場Ｔｈの情報や、劇場Ｔｈの周辺の店舗の情報を提供できるため、劇場Ｔｈや周辺の店舗にとっても大きな利点があるので、より多くの演劇Ｄｒの資金を集めることができる。このため、情報提供システム１０では、劇団等が少ない資金で演劇Ｄｒを開催することを可能としつつ、装飾品Ｔや物品Ｇを販売するもの（本実施例では劇場Ｔｈや周辺の店舗も含む）に利益をもたらすことができる。なお、劇団自身が装飾品Ｔや物品Ｇ等を販売する場合であっても、販売数の増加が期待できるので、演劇Ｄｒの資金を集めることができる。このような観点から、情報提供システム１０では、各観客Ａｕに提供する情報として企業の宣伝等を扱うことで、その権利をより多くのものに売ることができ、より多くの資金を集めることができる。このことは、コンサートやイベントを対象（シナリオＳｒ）とした場合でも同様である。
【０１０８】
情報提供システム１０では、対象とする場所に対応させて複数の登録情報Ｉｒを設定し、その各登録情報Ｉｒを任意の時機に当該場所に集まった人々の各受信端末機１３に提供できる。このため、情報提供システム１０では、対象とする場所に集まった人々の好みに応じた複数の情報を適切な時機に各人に提供できるので、当該場所に集まる人々の時間帯毎の傾向に応じた複数の情報を提供でき、例えば、演劇Ｄｒやコンサートやイベントにおいて登場する人（グループ）が時間帯毎で変化したり、商業施設において客層が時間帯毎で変化したりする場合でも、より効率良く複数の情報を各人に提供できる。
【０１０９】
したがって、本発明に係る情報提供システム１０では、集まった人々に複数の情報を取得させることができる。
【０１１０】
なお、上記した実施例では、本発明に係る情報提供システムおよびプログラムについて説明したが、複数の登録情報に個別に対応して複数の識別情報を設定する制御装置と、前記識別情報を符号化した発信信号を発信する発信機と、を備え、前記制御装置は、いずれか１つの前記識別情報を発信させる発信指令を前記発信機へ向けて出力し、前記発信機は、入力された前記発信指令が示す前記識別情報を前記発信信号に符号化し、先に符号化した前記発信信号に替えて新たに符号化した前記発信信号を発信する情報提供システム、または、複数の登録情報に個別に対応して複数の識別情報を設定する制御装置と、前記識別情報を符号化した発信信号を発信する発信機とを備え、前記制御装置がいずれか１つの前記識別情報を発信させる発信指令を前記発信機へ向けて出力する情報提供システムの前記発信機に、入力された前記発信指令が示す前記識別情報を前記発信信号に符号化する機能と、先に符号化した前記発信信号に替えて新たに符号化した前記発信信号を発信する機能と、を実現させるプログラムであればよく、上記した実施例に限定されるものではない。
【０１１１】
また、上記した実施例では、提供する情報を示すウェブサイトＷｓの一例として、図１４、図１５に示す各画面を示したが、提供する情報を示すものであれば、他の構成でもよく、上記した実施例に限定されない。この提供する情報を示すウェブサイトＷｓは、上記したように情報を提供する権利を売る場合、当該権利を買ったものが適宜作成すればよい。
【０１１２】
さらに、上記した実施例では、登録情報Ｉｒに個別に対応して設定された識別情報Ｄｉを発信信号Ｓｄとしているが、発信信号Ｓｄに変換可能な情報量や発信信号Ｓｄとして発信可能な情報量に制限がない場合等には、登録情報Ｉｒ（アドレス情報Ａ）を直に発信信号Ｓｄに変換（符号化）してもよく、上記した実施例の構成に限定されない。
【０１１３】
上記した実施例では、発信機１１から発信する発信信号Ｓｄをブルートゥースロウエナジーの無線通信方式でビーコンの管理フレームを用いたものとしていたが、近距離無線通信を利用して識別情報Ｄｉを符号化した発信信号Ｓｄを発信するものであれば、他のビーコンや同様の機能を有するものでもよく、音響（音楽や音声）に重畳させてコードリーダで読み取ることで取り出せるものでもよく、上記した実施例の構成に限定されない。この最後に述べたように音響に重畳させると、音響の出力機器から発信信号Ｓｄを出力できるので、発信信号Ｓｄの出力のためだけの発信機１１を設ける必要がなく、より簡易な構成にできる。
【０１１４】
上記した実施例では、１つの劇場Ｔｈ（人が集まる場所）に１つの発信機１１を設けるものとしていたが、１つの当該場所（劇場Ｔｈ）に複数の発信機１１を設けるものとしてもよく、上記した実施例の構成に限定されない。このように複数の発信機１１を設けると、より多くの発信信号Ｓｄを発信することができ、各受信端末機１３が各発信信号Ｓｄを受信可能な領域を広げることができる。また、発信機１１での発信信号Ｓｄの切り替えに所定の時間を要する場合には、複数の発信機１１を設けることで、異なる発信信号Ｓｄの発信に要する時間を短くできる。
【０１１５】
以上、本発明の情報提供システムおよびプログラムを実施例に基づき説明してきたが、具体的な構成については実施例に限られるものではなく、本発明の要旨を逸脱しない限り、設計の変更や追加等は許容される。また、構成部材の数、位置、形状等は実施例に限定されず、本発明を実施する上で好適な数、位置、形状等にできる。
【符号の説明】
【０１１６】
１０  情報提供システム
１１  発信機
１２  制御装置
１３  受信端末機
３０  中央制御機
４０  制御操作機
Ａ（Ａ１〜Ａ１０）  アドレス情報
Ｂ３  （発信操作部の一例としての）送信ボタン
Ｃｄ  発信指令
Ｄｉ  識別情報
Ｉｒ  登録情報
Ｏｄ  発信操作
Ｓｄ  発信信号
【図１】
2017121003.tif 000003
【図２】
2017121003.tif 000004
【図３】
2017121003.tif 000005
【図４】
2017121003.tif 000006
【図５】
2017121003.tif 000007
【図６】
2017121003.tif 000008
【図７】
2017121003.tif 000009
【図８】
2017121003.tif 000010
【図９】
2017121003.tif 000011
【図１０】
2017121003.tif 000012
【図１１】
2017121003.tif 000013
【図１２】
2017121003.tif 000014
【図１３】
2017121003.tif 000015
【図１４】
2017121003.tif 000016
【図１５】
2017121003.tif 000017